(57)【要約】      （修正有）【課題】  電池バネを基板に取り付けるときに、半田付けが容易な電池バネ取付構造を提供する。【解決手段】  基板１に設けられた端子取付用の半田付けランドに設けられた略楕円形穴部３に連通するように、長手方向に向けて細幅のスリット６が形成され、基板１における半田付けランドの近傍に電池バネ７の先端７ａが入り込む穴部８が設けられており、電池バネ７は、基板１の半田付けランドの略楕円形穴部３に入り込む盛り上がり部７ｂと、スリット６に入り込む直線状部７ｃと、穴部８に入り込む略コ字形の先端部７ａと、盛り上がり部７ｂから電池ケースまで延設された電池接触部７ｄとより構成されている。【選択図】  図１
2006004837.tif 000002
【特許請求の範囲】
【請求項１】
リモコンの乾電池の−極と＋極とに接する２種類の電池バネを基板に半田付けで取付固定するようにしたリモコンの電池バネ取付構造において、前記基板に設けられた端子取付用の半田付けランドに設けられた略楕円形穴部に連通するように、長手方向に向けて細幅のスリットが形成され、前記基板における前記半田付けランドの近傍に前記電池バネの先端が入り込む穴部が設けられており、前記電池バネは、前記基板の半田付けランドの略楕円形穴部に入り込む盛り上がり部と、前記スリットに入り込む直線状部と、前記穴部に入り込む略コ字形の先端部と、前記盛り上がり部から電池ケースまで延設された電池接触部とより構成されていて、前記電池バネは、前記基板の半田付けランドの略楕円形穴部に前記端子の盛り上がり部が入り込み、前記半田付けランドのスリットに直線状部が入り込み、前記穴部に先端部が入り込んだ状態で、前記盛り上がり部と前記直線状部とが前記基板の半田付けランドに半田付けで取付固定されるように構成したことを特徴とするリモコンの電池バネ取付構造。
【請求項２】
リモコンの乾電池の−極と＋極とに接する電池バネを基板に半田付けで取付固定するようにしたリモコンの乾電池の電池バネ取付構造において、前記基板に設けられた端子取付用の半田付けランドに設けられた長穴部に連通するように、長手方向に向けてスリットが形成され、前記基板における前記半田付けランドの近傍に前記電池バネの先端が入り込む穴部が設けられており、前記電池バネは、前記基板の半田付けランドの長穴部に入り込む盛り上がり部と、前記スリットに入り込む直線状部と、前記穴部に入り込む先端部と、前記盛り上がり部から電池ケースまで延設された電池接触部とより構成されていて、前記電池バネは、前記基板の半田付けランドの長穴部に前記端子の盛り上がり部が入り込み、前記半田付けランドのスリットに直線状部が入り込み、前記穴部に先端部が入り込んだ状態で、前記盛り上がり部と前記直線状部とが前記基板の半田付けランドに半田付けで取付固定されるように構成したことを特徴とするリモコンの電池バネ取付構造。  
【請求項３】
前記基板の半田付けランドに設けられたスリットはその幅が、前記電池バネの直線状部の厚さより若干狭く形成されている請求項２に記載のリモコンの電池バネ取付構造。
【請求項４】
前記電池バネは、乾電池の−側に接する巻き線状部が設けられた電池バネと、乾電池の＋側に接する板状部が設けられた電池バネの２種類である請求項２又は３に記載のリモコンの乾電池の電池バネ取付構造。
【発明の詳細な説明】
【技術分野】
【０００１】
本発明は、リモコンの乾電池の−極と＋極とに接する２種類の電池バネを基板に半田付けで取付固定するようにしたリモコンの電池バネ取付構造に関するものである。
【背景技術】
【０００２】
従来、この種のリモコンの電池バネ取付構造は、図４、図５に示すように、電池バネ１０１のＵ字曲げ部分１０１ａを基板１０２に形成された長穴１０２ａに下側から入れるとともに、先端のＬ字曲げ部分１０１ｂを基板１０２に形成された穴１０２ｂに下側から入れて半田付けして取り付けるようにしていた。尚、図中符号１０３は電池ケースを示している。
【０００３】
ところが、半田付けするときに、電池バネ１０１が落ちたり、曲がったりして取り付けが難しいという問題があった。
【０００４】
第１の従来技術を図６（ａ）（ｂ）に示す。これは、図６（ａ）（ｂ）に示すように、回路パターン層２０２を有する基板２０１に装着された接続リード部材２０４は、基板２０１の表面に載置されたブリッジ部２０４Ｃと、ブリッジ部２０４Ｃの中間部に形成された所定外径の略リング状ループ部２０５と、ブリッジ部２０４Ｃから釣形状に折り曲げて延在する直線状装着端子部は、基板２０１内の対応する位置に形成された穴２０６に挿入され、半田付けによって基板２０１の回路パターン層２０２に接続固定され、リング状ループ部２０５は、ブリッジ部２０４Ｃに対して略直交する方向に突出し、基板２０１内の対応する位置に形成されたスロット２０３内に挿入され、端子接続装置の組立て完成部品は、その厚みを薄く小形にでき、リング状ループ部２０５がスロット２０３に弾接係止されるようにしている。（例えば、特許文献１参照）。
【０００５】
ところが、これにおいては、接続リード部材２０４の基板２０１に対する位置決めが行い難いという問題があった。
【０００６】
第２の従来技術を図７に示す。これは、図７に示すように、コイルばね３０１からなる端子において、該コイルばね３０１の基端部に形成された係合片３０４と、該係合片３０４に隣接して形成された凸状の弾性係合部３０５とを備え、基板３１０に形成された２箇所の挿入孔３０８、３０９の各々に前記係合部３０４と弾性係合部３０５とを差し込み係合させるように構成している。（例えば、特許文献２参照）。
【０００７】
ところが、これにおいては、端子の基板３１０に対する位置決めが行い難いという問題があった。
【特許文献１】特開平１１−２４２９５０号公報
【特許文献２】特開平６−２３１６０号公報
【発明の開示】
【発明が解決しようとする課題】
【０００８】
本発明は、上記従来の問題に鑑みてなされたものであって、電池バネを基板に取り付けるときに、この電池バネを落ちないように固定させることができて、半田付けが行い易く、また、半田付けを早くすることができ、生産効率を良くすることができるリモコンの電池バネ取付構造を提供することを目的としている。
【課題を解決するための手段】
【０００９】
本発明は、上記課題を解決するために提案されたものであって、請求項１に記載の発明は、リモコンの乾電池の−極と＋極とに接する２種類の電池バネを基板に半田付けで取付固定するようにしたリモコンの電池バネ取付構造において、前記基板に設けられた端子取付用の半田付けランドに設けられた略楕円形穴部に連通するように、長手方向に向けて細幅のスリットが形成され、前記基板における前記半田付けランドの近傍に前記電池バネの先端が入り込む穴部が設けられており、前記電池バネは、前記基板の半田付けランドの略楕円形穴部に入り込む盛り上がり部と、前記スリットに入り込む直線状部と、前記穴部に入り込む略コ字形の先端部と、前記盛り上がり部から電池ケースまで延設された電池接触部とより構成されていて、前記電池バネは、前記基板の半田付けランドの略楕円形穴部に前記端子の盛り上がり部が入り込み、前記半田付けランドのスリットに直線状部が入り込み、前記穴部に先端部が入り込んだ状態で、前記盛り上がり部と前記直線状部とが前記基板の半田付けランドに半田付けで取付固定されるように構成したことを特徴としている。
【００１０】
請求項２に記載の発明は、リモコンの乾電池の−極と＋極とに接する電池バネを基板に半田付けで取付固定するようにしたリモコンの乾電池の電池バネ取付構造において、前記基板に設けられた端子取付用の半田付けランドに設けられた長穴部に連通するように、長手方向に向けてスリットが形成され、前記基板における前記半田付けランドの近傍に前記電池バネの先端が入り込む穴部が設けられており、前記電池バネは、前記基板の半田付けランドの長穴部に入り込む盛り上がり部と、前記スリットに入り込む直線状部と、前記穴部に入り込む先端部と、前記盛り上がり部から電池ケースまで延設された電池接触部とより構成されていて、前記電池バネは、前記基板の半田付けランドの長穴部に前記端子の盛り上がり部が入り込み、前記半田付けランドのスリットに直線状部が入り込み、前記穴部に先端部が入り込んだ状態で、前記盛り上がり部と前記直線状部とが前記基板の半田付けランドに半田付けで取付固定されるように構成したことを特徴としている。  
【００１１】
請求項３に記載の発明は、前記基板の半田付けランドに設けられたスリットはその幅が、前記電池バネの直線状部の厚さより若干狭く形成されている。
【００１２】
請求項４に記載の発明は、前記電池バネは、乾電池の−側に接する巻き線状部が設けられた電池バネと、乾電池の＋側に接する板状部が設けられた電池バネの２種類である。
【発明の効果】
【００１３】
請求項１に記載の発明によれば、電池バネを基板に取り付けるときに、電池バネの直線状部が基板の半田付けランドのスリットに入り込むので、この電池バネを落ちないように固定させることができて、半田付けが行い易く、また、半田付けを早くすることができ、生産効率を良くすることができる。
【００１４】
請求項２に記載の発明によれば、電池バネを基板に取り付けるときに、この電池バネを落ちないように固定させることができて、半田付けが行い易く、また、半田付けを早くすることができ、生産効率を良くすることができる。
【００１５】
請求項３に記載の発明によれば、基板の半田付けランドの幅狭いスリットに電池バネの直線状部が入り込むので、このスリットから電池バネの直線状部が外れることがなくて、確実に位置決めできて固定することができる。
【００１６】
請求項４に記載の発明によれば、乾電池の−極に接する電池バネでも、乾電池の＋極に接する電池バネでも落下したり曲がったりすることなく、電池バネを確実に位置決め固定して取り付けることができる。
【発明を実施するための最良の形態】
【００１７】
以下、本発明に係るリモコンの電池バネ取付構造の実施の形態について、図を参照しつつ説明する。
【００１８】
図１は本発明の実施形態のリモコンの電池バネ取付構造を示す断面図、図２は電池バネを示し、（ａ）は乾電池の−側に接続する電池バネの正面図、（ｂ）は乾電池の＋側に接続する電池バネの正面図、図３は同電池バネ取付構造を有する基板と電池ボックスの概略平面図である。
【００１９】
本実施形態のリモコンの電池バネ取付構造は、図１、図２（ａ）（ｂ）、図３に示すように、基板１に設けられた端子取付用の半田付けランド２に設けられた略楕円形穴部３に連通するように、長手方向に向けて細幅のスリット６が形成され、基板１における半田付けランド２の近傍に電池バネ７の先端部７ａが入り込む穴部８が設けられている。電池バネ７は、基板１の半田付けランド２の略楕円形穴部３に入り込む盛り上がり部７ｂと、スリット６に入り込む直線状部７ｃと穴部８に入り込む略コ字形の先端部７ａと、盛り上がり部７ｂから電池ケース９まで延設された電池接触部７ｄとより構成されている。
【００２０】
電池バネ７は、基板１の半田付けランド２の略楕円形穴部３に盛り上がり部７ｂが入り込み、半田付けランド２のスリット６に直線状部７ｃが入り込み、穴部８に先端部７ａが入り込んだ状態で、盛り上がり部７ｂと直線状部７ｃとが基板１の半田付けランド２に半田付けで取付固定されるようになっている。
【００２１】
基板１の半田付けランド２に設けられたスリット６はその幅が、電池バネ７の直線状部７ｃの厚さより若干狭く形成されている。尚、電池バネ７は、乾電池の−側に接する巻き線状部７ｅが設けられた電池バネ７Ａと、乾電池の＋側に接する板状部７ｆが設けられた電池バネ７Ｂの２種類がある。
【００２２】
従って、本実施形態によれば、電池バネ７を基板１に取り付けるときに、電池バネ７の直線状部７ｃが基板１の半田付けランド２のスリット６に入り込むので、この電池バネ７を落ちないように固定させることができて、半田付けが行い易い。また、半田付けを早くすることができ、生産効率を良くすることができる。更に、基板１の半田付けランド２の幅狭いスリット６に電池バネ７の直線状部７ｃが入り込むので、このスリット６から電池バネ７の直線状部７ｃが外れることがなくて、確実に位置決めできて固定することができる。
【図面の簡単な説明】
【００２３】
【図１】本発明の実施形態のリモコンの電池ばね取付構造を示す断面図である。
【図２】電池バネを示し、（ａ）は乾電池の−側に接続する電池バネの正面図、（ｂ）は乾電池の＋側に接続する電池バネの正面図である。
【図３】同電池バネ取付構造を有する基板と電池ボックスの概略平面図である。
【図４】従来のリモコンの電池バネ取付構造を示す断面図である。
【図５】同電池バネ取付構造を有する基板と電池ボックスの概略平面図である。
【図６】従来の電源回路用端子接続装置を示し、（ａ）はその分解斜視図、（ｂ）はその断面図である。
【図７】従来の端子の取付構造を示す断面図である。
【符号の説明】
【００２４】
１          基板
２          半田付けランド
３          略楕円形穴部
６          スリット
７          電池バネ
７Ａ        電池バネ
７Ｂ        電池バネ
７ａ        先端部
７ｂ        盛り上がり部
７ｃ        直線状部
７ｄ        電池接触部
７ｅ        巻き線状部
７ｆ        板状部
８          穴部
９          電池ケース
【図１】
2006004837.tif 000003
【図２】
2006004837.tif 000004
【図３】
2006004837.tif 000005
【図４】
2006004837.tif 000006
【図５】
2006004837.tif 000007
【図６】
2006004837.tif 000008
【図７】
2006004837.tif 000009